(57)【要約】【課題】レンズホルダを対物レンズの光軸方向へ変位させるとき、該レンズホルダに生じる傾きを抑制する対物レンズ駆動装置を提供する。【解決手段】対物レンズ駆動装置１は、情報を記録または再生するために光源の光を集光する対物レンズ６を保持するレンズホルダ２と、レンズホルダ２とワイヤ支持台５とを接続する弾性を有する棒状の支持ワイヤ３ａ・３ｂ・３ｃ・３ｄとを備えている。支持ワイヤ３ａ・３ｂ・３ｃ・３ｄは、少なくとも１箇所の屈曲部を有し、少なくとも１箇所の屈曲部において、屈曲前後のそれぞれの軸方向が互いに異なるとともに、上記対物レンズの光軸を含む平面と平行な平面に含まれる構成である。【選択図】図１
2007200459.tif 000002
【特許請求の範囲】
【請求項１】
光情報記録媒体の記録面に対し、情報を記録または再生するために光源の光を集光する対物レンズを保持するレンズホルダと、
上記レンズホルダと支持基板とを接続する弾性を有する棒状の弾性部材と、
上記レンズホルダに対して、上記対物レンズの光軸方向への力を加えることによって、上記弾性部材の曲げ方向の弾性変形により該レンズホルダを上記支持基板に対して相対的に変位させる駆動手段とを備え、
上記弾性部材は、少なくとも１箇所の屈曲部を有し、少なくとも１箇所の屈曲部において、屈曲前後のそれぞれの軸方向が互いに異なるとともに、上記対物レンズの光軸を含む平面と平行な平面に含まれることを特徴とする対物レンズ駆動装置。
【請求項２】
上記弾性部材は、第１弾性部材および第２弾性部材を一対とする二対からなり、
上記第１弾性部材および上記第２弾性部材は、上記対物レンズの光軸方向において、互いに逆方向に屈曲することを特徴とする請求項１に記載の対物レンズ駆動装置。
【請求項３】
上記第１弾性部材および上記第２弾性部材は、上記レンズホルダが駆動していない静止位置において、屈曲している部分の角度が等しくなることを特徴とする請求項２に記載の対物レンズ駆動装置。
【請求項４】
上記第１弾性部材および上記第２弾性部材は、上記レンズホルダが駆動していない静止位置において、屈曲している部分の角度が９０度であることを特徴とする請求項２に記載の対物レンズ駆動装置。
【請求項５】
上記第１弾性部材と上記レンズホルダとの接続位置を第１接続点とし、上記第２弾性部材と該レンズホルダとの接続位置を第２接続点とし、
対となる上記第１接続点と上記第２接続点とを結ぶ線の中点同士を結んだ線上には、上記レンズホルダの重心が含まれていることを特徴とする請求項２に記載の対物レンズ駆動装置。
【請求項６】
上記第１弾性部材と上記レンズホルダとの接続位置を第１接続点とし、上記第２弾性部材と該レンズホルダとの接続位置を第２接続点とし、
対となる上記第１接続点と上記第２接続点とを結ぶ線の中点同士を結んだ線上には、上記駆動手段の駆動中心が含まれていることを特徴とする請求項２に記載の対物レンズ駆動装置。
【請求項７】
上記第１弾性部材と上記レンズホルダとの接続位置を第１接続点とし、上記第２弾性部材と該レンズホルダとの接続位置を第２接続点とし、
上記第１接続点同士を結んだ線の中点と、上記第２接続点同士を結んだ線の中点とを結んだ線上には、上記レンズホルダの重心が含まれていることを特徴とする請求項２または５に記載の対物レンズ駆動装置。
【請求項８】
上記第１弾性部材と上記レンズホルダとの接続位置を第１接続点とし、上記第２弾性部材と該レンズホルダとの接続位置を第２接続点とし、
上記第１接続点同士を結んだ線の中点と、上記第２接続点同士を結んだ線の中点とを結んだ線上には、上記駆動手段の駆動中心が含まれていることを特徴とする請求項２または６に記載の対物レンズ駆動装置。
【請求項９】
上記第１弾性部材の上記支持基板から屈曲している部分までの距離と、上記第２弾性部材の上記支持基板から屈曲している部分までの距離とを異ならせることを特徴とする請求項２に記載の対物レンズ駆動装置。
【請求項１０】
上記請求項１〜９のいずれか１項に記載の対物レンズ駆動装置を備えることを特徴とする光ピックアップ装置。
【発明の詳細な説明】
【技術分野】
【０００１】
本発明は、光情報記録媒体の記録面に対して情報の記録または再生を行うための光ピックアップ装置に搭載される対物レンズ駆動装置に関するものである。
【背景技術】
【０００２】
例えば、光ディスクなどの光情報記録媒体に対して情報の記録または再生を行う光ピックアップ装置には、対物レンズ駆動装置が搭載されている。対物レンズ駆動装置は、光源から放射された光を対物レンズによって光情報記録媒体の記録面に光スポットとして集光させ、該光スポットの焦点合わせおよび位置合わせを行うためのものである。光ピックアップ装置は、このようにして集光された光により光情報記録媒体に対して情報の記録または再生を行う。
【０００３】
一般的に、対物レンズ駆動装置は、対物レンズを保持したレンズホルダと、該レンズホルダを支持するための支持基板と、該レンズホルダを該支持基板に支持するための複数の弾性部材とを備えている。上記レンズホルダは、該レンズホルダをフォーカス方向およびトラッキング方向に移動させるための駆動手段を備えている。また、上記弾性部材は、上記レンズホルダをフォーカス方向およびトラッキング方向に移動可能に該支持基板に接続する。このように、対物レンズ駆動装置は、レンズホルダをフォーカス方向およびトラッキング方向に変位させ、光情報記録媒体の記録面への光スポットの焦点あわせおよび位置合わせを行うものである。
【０００４】
従来の対物レンズ駆動装置としては、特許文献１に開示されているような構成がある。特許文献１に記載されている構成と同様の構成の対物レンズ駆動装置について図９を参照して以下に説明する。図９は、従来の対物レンズ駆動装置１０１の概略構成を示す斜視図である。なお、フォーカス方向とは対物レンズの光軸方向であり、トラッキング方向とはディスク状の光情報記録媒体の半径方向である。
【０００５】
図９に示すように、従来の対物レンズ駆動装置１０１は、レンズホルダ１０２と、支持ワイヤ１０３ａ・１０３ｂ・１０３ｃ・１０３ｄと、基板１０４と、ワイヤ支持台１０５と、磁石支持基板１１１ａ・１１１ｂとを備えた構成である。また、レンズホルダ１０２は、対物レンズ１０６と、接続部１０７ａ・１０７ｂと、フォーカスコイル１０８と、トラッキングコイル１０９とを備えている。
【０００６】
レンズホルダ１０２は、フォーカス方向とトラッキング方向とに駆動可能である。フォーカス方向への駆動は、レンズホルダ２に設けられたフォーカスコイル１０８と、基板１０４に垂直に設けられた磁石支持基板１１１ａと、磁石支持基板１１１ａに支持された磁石１１０ａとがフォーカス方向磁気回路を形成し、フォーカスコイル１０８に電流が流されることにより行われる。また、トラッキング方向への駆動は、レンズホルダ２に設けられたトラッキングコイル１０９と、基板１０４に垂直に設けられた磁石支持基板１１１ｂと、磁石支持基板１１１ｂに支持された磁石１１０ｂとがトラッキング方向磁気回路を形成し、トラッキングコイル１０９に電流が流されることにより行われる。
【０００７】
基板１０４は長方形の板状であり、その一方の短辺に沿って直方体のワイヤ支持台１０５が垂直に設けられている。また、基板１０４には、ワイヤ支持台１０５が設けられた面と同じ面に対して垂直に直方体の磁石支持基板１１１ａ・１１１ｂが設けられている。
【０００８】
レンズホルダ１０２は、上記フォーカス方向磁気回路および上記トラッキング方向磁気回路を備えた直方体部分と、該直方体部分の一方の短辺に沿って設けられた対物レンズ１０６を保持したレンズ保持部分とが一体化して構成されている。レンズホルダ１０２は、弾性を有した支持ワイヤ１０３ａ・１０３ｂ・１０３ｃ・１０３ｄによってレンズホルダ１０２の下面が基板１０４の上面に対して平行になるように、ワイヤ支持台１０５に接続されている。
【０００９】
そして、支持ワイヤ１０３ａと支持ワイヤ１０３ｂとはフォーカス方向に対し垂直に、かつ、フォーカス方向に並んで設けられている。支持ワイヤ１０３ａおよび支持ワイヤ１０３ｂは、レンズホルダ１０２の長手方向に沿って延び、レンズホルダ１０２の長手方向の側面に設けられた接続部１０７ａに接続される。同様に、支持ワイヤ１０３ｃと支持ワイヤ１０３ｄとはフォーカス方向に対し垂直に、かつ、フォーカス方向に並んで設けられている。支持ワイヤ１０３ｃおよび支持ワイヤ１０３ｄは、レンズホルダ１０２の長手方向に沿って延び、レンズホルダ１０２の長手方向の接続部１０７ａが設けられた面とは反対側の側面に設けられた接続部１０７ｂに接続される。また、支持ワイヤ１０３ａおよび支持ワイヤ１０３ｃ並びに支持ワイヤ１０３ｂおよび支持ワイヤ１０３ｄは、互いに平行に設けられている。
【００１０】
このように、従来の対物レンズ駆動装置１０１では、レンズホルダ１０２は支持ワイヤ１０３ａ・１０３ｂ・１０３ｃ・１０３ｄによってワイヤ支持台１０５にフォーカス方向およびトラッキング方向に変位自在に支持される。
【００１１】
また、特許文献２に記載されているように、支持ワイヤ１０３ａ・１０３ｂおよび支持ワイヤ１０３ｃ・１０３ｄが互いに交差している構成の対物レンズ駆動装置も開示されている。
【特許文献１】実開平４−７２３１８号公報（公開日平成４年６月２５日）
【特許文献２】特開２０００３−７７１５３号公報（公開日平成１５年３月１４日）
【発明の開示】
【発明が解決しようとする課題】
【００１２】
対物レンズ駆動装置を用いて光情報記録媒体への情報の記録または再生を正確に行うためには、対物レンズの光軸が該光情報記録媒体の記録面に対して常に垂直であることが望ましい。しかしながら、上記従来の構成では、フォーカス方向磁気回路がレンズホルダ１０２をフォーカス方向へ駆動させたとき、支持ワイヤ１０３ａ・１０３ｂ・１０３ｃ・１０３ｄが変形し、レンズホルダ１０２がタンジェンシャルチルトを起こしてしまうという問題がある。
【００１３】
上記問題が生じる原因について図１０を参照して以下に説明する。図１０は、従来の対物レンズ駆動装置１０１に作用する応力を示した側面図である。なお、図１０では、基板１０４上に設けられた磁石支持基板１１１ａ・１１１ｂは、簡略化のため省略している。フォーカス方向磁気回路により駆動されたレンズホルダ１０２が、例えば、上方向に移動する場合、レンズホルダ１０２の動きにあわせて支持ワイヤ１０３ａ・１０３ｂ・１０３ｃ・１０３ｄが撓もうとする。しかし、支持ワイヤ１０３ａ・１０３ｂ・１０３ｃ・１０３ｄはその一端がワイヤ支持台１０５に接続され、他端が接続部１０７ａ・１０７ｂに接続されている。そのため、支持ワイヤ１０３ａ・１０３ｂ・１０３ｃ・１０３ｄでは、図１０の矢印で示すように、支持ワイヤ１０３ａ・１０３ｃには圧縮応力が作用し、支持ワイヤ１０３ｂ・１０３ｄには引っ張り応力が作用する。そして、支持ワイヤ１０３ａ・１０３ｂ・１０３ｃ・１０３ｄは、生じた応力の不均衡を是正するために不均一に変形する。そのため、レンズホルダ１０２はタンジェンシャルチルトを起こしてしまう。
【００１４】
本発明は、上記問題に鑑みてなされたものであり、その目的は、レンズホルダを対物レンズの光軸方向へ変位させるとき、該レンズホルダに生じる傾きを抑制する対物レンズ駆動装置を提供することにある。
【課題を解決するための手段】
【００１５】
本発明の対物レンズ駆動装置は、上記課題を解決するために、光情報記録媒体の記録面に対し、情報を記録または再生するために光源の光を集光する対物レンズを保持するレンズホルダと、上記レンズホルダと支持基板とを接続する弾性を有する棒状の弾性部材と、上記レンズホルダに対して、上記対物レンズの光軸方向への力を加えることによって、上記弾性部材の曲げ方向の弾性変形により該レンズホルダを上記支持基板に対して相対的に変位させる駆動手段とを備え、上記弾性部材は、少なくとも１箇所の屈曲部を有し、少なくとも１箇所の屈曲部において、屈曲前後のそれぞれの軸方向が互いに異なるとともに、上記対物レンズの光軸を含む平面と平行な平面に含まれることを特徴としている。
【００１６】
従来のように、弾性部材が直線状のワイヤなどによって構成されている場合には、レンズホルダを対物レンズの光軸方向に変位させることにより、該弾性部材に圧縮応力および引っ張り応力が作用し、該弾性部材に変形が生じる。そのため、従来の対物レンズ駆動装置では、レンズホルダが対物レンズの光軸方向に対して回転する方向に傾いてしまう。
【００１７】
本発明では、弾性部材は、少なくとも１箇所の屈曲部を有し、少なくとも１箇所の屈曲部において、屈曲前後のそれぞれの軸方向が互いに異なるとともに、上記対物レンズの光軸を含む平面と平行な平面に含まれている。そのため、レンズホルダを対物レンズの光軸方向に変位させるとき、上記弾性部材に生じる圧縮応力および引っ張り応力が上記屈曲部において曲げ応力に変えられる。そして、上記弾性部材の屈曲部の角度が変化する。
【００１８】
このように、本発明の対物レンズ駆動装置では、上記弾性部材は、少なくとも１箇所で対物レンズの光軸を含む平面と平行な平面に含まれるように屈曲される。これにより、上記弾性部材に作用する圧縮応力および引っ張り応力が上記屈曲部により集中して曲げ応力に変えられる。そのため、上記屈曲部の角度が変化し、上記弾性部材が該屈曲部以外の部分で不均一に撓むことを防止できる。その結果、上記レンズホルダに生じる対物レンズの光軸方向に対して回転する方向への傾きを防止することができる。
【００１９】
また、本発明の対物レンズ駆動装置では、上記弾性部材は、第１弾性部材および第２弾性部材を一対とする二対からなり、上記第１弾性部材および上記第２弾性部材は、上記対物レンズの光軸方向において、互いに逆方向に屈曲してもよい。
【００２０】
上記構成により、第１弾性部材および第２弾性部材を一方向にのみ屈曲させる場合と比較して、レンズホルダを安定して対物レンズの光軸方向の両方向に変位させることができる。第１弾性部材および第２弾性部材を光軸方向において一方向にのみ屈曲させる場合、レンズホルダを対物レンズの光軸方向に変位させると、該第１弾性部材および該第２弾性部材には圧縮応力または引っ張り応力のどちらか一方が作用する、そして、上記圧縮応力または引っ張り応力は、上記第１弾性部材および上記第２弾性部材の屈曲部において角度を小さくする曲げ応力または大きくする曲げ応力のどちらか一方に変えられる。
【００２１】
これに対して、本発明では、レンズホルダを対物レンズの光軸方向に変位させると、該第１弾性部材および該第２弾性部材のそれぞれには圧縮応力または引っ張り応力のどちらかが作用する。そして、上記圧縮応力および上記引っ張り応力は、上記屈曲部において角度を小さくする曲げ応力および大きくする曲げ応力に変えられる。上記構成では、第１弾性部材および第２弾性部材を一方向にのみ屈曲させる場合と比較して、上記レンズホルダを略均等な応力で対物レンズの光軸方向の両方向に変位させることができる。そのため、上記レンズホルダは静止位置から対物レンズの光軸方向の両方向に安定して変位させる事が可能となる。
【００２２】
また、本発明の対物レンズ駆動装置では、上記第１弾性部材および上記第２弾性部材は、上記レンズホルダが駆動していない静止位置において、屈曲している部分の角度が等しくなってもよい。
【００２３】
上記構成では、レンズホルダを対物レンズの光軸方向の両方向に変位させる場合において、第１弾性部材および第２弾性部材に作用する圧縮応力または引っ張り応力を均等に屈曲部において曲げ応力へと変えることができる。上記レンズホルダを対物レンズの光軸方向の一方向に変位させるとき、上記第１弾性部材および上記第２弾性部材に作用する圧縮応力または引っ張り応力は、上記屈曲部において角度を小さくする曲げ応力または角度を大きくする曲げ応力のどちらかに変えられる。また、上記レンズホルダを対物レンズの光軸方向の他方向に変位させるとき、上記第１弾性部材および上記第２弾性部材に作用する圧縮応力または引っ張り応力は、上記屈曲部において、該レンズホルダを該光軸方向の一方向に変位させたときに変えられた曲げ応力とは逆の曲げ応力に変えられる。このように、上記レンズホルダは、略均等な応力で対物レンズの光軸方向の両方向に変位させることができる。そのため、上記レンズホルダは静止位置から対物レンズの光軸方向の両方向に略均等な距離を安定して変位させる事が可能となる。
【００２４】
また、本発明の対物レンズ駆動装置では、上記第１弾性部材および上記第２弾性部材は、上記レンズホルダが駆動していない静止位置において、屈曲している部分の角度が９０度であってもよい。
【００２５】
上記構成では、レンズホルダを対物レンズの光軸方向の両方向に変位させる場合において、第１弾性部材および第２弾性部材に作用する圧縮応力または引っ張り応力の双方は均等に屈曲部において曲げ応力へと変えられる。上記屈曲部を９０度よりも鋭角にすると、第１弾性部材または第２弾性部材に圧縮応力が作用する場合は該屈曲部において曲げ応力へと容易に変えられる。しかしながら、第１弾性部材または第２弾性部材に引っ張り応力が作用する場合は該屈曲部において曲げ応力へと変えることが難しい。また、上記屈曲部の角度を９０度よりも鈍角にすると、上記第１弾性部材および上記第２弾性部材に対し引っ張り応力が作用する場合は該屈曲部において曲げ応力へと容易に変えられる。しかしながら、第１弾性部材または第２弾性部材に圧縮応力が作用する場合は該屈曲部において曲げ応力へと変えることが難しい。
【００２６】
このように、上記第１弾性部材および上記第２弾性部材の屈曲部の角度を約９０度にすることにより、該第１弾性部材および該第２弾性部材に作用する圧縮応力または引っ張り応力を、該屈曲部において容易に曲げ応力へと変えることができる。そのため、本発明の対物レンズ駆動装置は、レンズホルダを静止位置から対物レンズの光軸方向の両方向に等しい距離をより安定して変位させる事が可能となる。
【００２７】
また、本発明の対物レンズ駆動装置では、上記第１弾性部材と上記レンズホルダとの接続位置を第１接続点とし、上記第２弾性部材と該レンズホルダとの接続位置を第２接続点とし、対となる上記第１接続点と上記第２接続点とを結ぶ線の中点同士を結んだ線上には、上記レンズホルダの重心が含まれていてもよい。
【００２８】
静止位置においてレンズホルダに対し不要なモーメントが作用していると、該レンズホルダに傾きが生じる。上記レンズホルダに生じた傾きは、該レンズホルダを対物レンズの光軸方向に変位させるとき、弾性部材に作用する圧縮応力および引っ張り応力を屈曲部において曲げ応力へと変化させることを妨害する。例えば、上記各第１弾性部材が上記各第１接続点において上記レンズホルダを支持する力と、上記各第２弾性部材が上記各第２接続点において該レンズホルダを支持する力と、該レンズホルダの重心にかかる重力とによるモーメントが釣り合っていなければ、静止位置において、該レンズホルダは対物レンズの光軸方向に対して回転する方向に傾いてしまう。
【００２９】
そのため、各第１弾性部材および各第２弾性部材は、各第１接続点においてレンズホルダを支持する力と、各第２接続点において該レンズホルダを支持する力と、該レンズホルダの重心にかかる該レンズホルダの重力とによるモーメントが釣り合うように、該レンズホルダに設けられることが望ましい。
【００３０】
本発明では、第１弾性部材および第２弾性部材は、対となる第１接続点と第２接続点とを結ぶ線の中点同士を結んだ線上に、該レンズホルダの重心が含まれるように該レンズホルダに設けられる。これにより、上記各第１弾性部材が上記各第１接続点においてレンズホルダを支持する力と、上記各第２接続部材が上記各第２接続点において該レンズホルダを支持する力と、該レンズホルダの重心にかかる重力とによるモーメントが釣り合う。その結果、上記レンズホルダには不要なモーメントが作用せず、該レンズホルダに生じる対物レンズの光軸方向に対して回転する方向への傾きを防止することができる。
【００３１】
また、本発明の対物レンズ駆動装置では、上記第１弾性部材と上記レンズホルダとの接続位置を第１接続点とし、上記第２弾性部材と該レンズホルダとの接続位置を第２接続点とし、対となる上記第１接続点と上記第２接続点とを結ぶ線の中点同士を結んだ線上には、上記駆動手段の駆動中心が含まれていてもよい。
【００３２】
レンズホルダを対物レンズの光軸方向に変位させるとき、該レンズホルダを該光軸方向へ変位させるための駆動手段の駆動中心において、変位させるための駆動力が作用する。そのため、例えば、上記各第１弾性部材が上記各第１接続点において上記レンズホルダを支持する力と、上記各第２弾性部材が上記各第２接続点において該レンズホルダを支持する力と、上記駆動中心に作用する駆動力とによるモーメントが釣り合っていなければ、該レンズホルダを上記光軸方向に変位させるときに、該レンズホルダは、該光軸方向に対して回転する方向に傾いてしまう。
【００３３】
そこで、本発明では、第１弾性部材および第２弾性部材は、対となる第１接続点と第２接続点とを結ぶ線の中点同士を結んだ線上に、上記駆動手段の駆動中心が含まれるように設けられる。そのため、上記レンズホルダを対物レンズの光軸方向へ変位させるとき、該レンズホルダには不要なモーメントが作用せず、該レンズホルダに生じる対物レンズの光軸方向に対して回転する方向への傾きを防止することができる。
【００３４】
また、本発明の対物レンズ駆動装置では、上記第１弾性部材と上記レンズホルダとの接続位置を第１接続点とし、上記第２弾性部材と該レンズホルダとの接続位置を第２接続点とし、上記第１接続点同士を結んだ線の中点と、上記第２接続点同士を結んだ線の中点とを結んだ線上には、上記レンズホルダの重心が含まれていてもよい。
【００３５】
静止位置においてレンズホルダに対し不要なモーメントが作用していると、該レンズホルダに傾きが生じる。上記レンズホルダに生じた傾きは、該レンズホルダを対物レンズの光軸方向に変位させるとき、第１弾性部材および第２弾性部材に作用する圧縮応力および引っ張り応力を屈曲部において曲げ応力へと変化させにくくする。例えば、一対の第１弾性部材および第２弾性部材が第１接続点および第２接続点において上記レンズホルダを支持する力と、もう一対の第１接続部材および第２弾性部材が第１接続点および第２接続点において該レンズホルダを支持する力と、該レンズホルダの重心にかかる重力とによるモーメントが釣り合っていなければ、静止位置において、該レンズホルダは対物レンズの光軸に垂直な軸を中心として回転する方向に傾いてしまう。
【００３６】
本発明では、第１弾性部材および第２弾性部材は、上記第１接続点同士を結んだ線の中点と、上記第２接続点同士を結んだ線の中点とを結んだ線上に、上記レンズホルダの重心が含まれるように設けられる。上記構成により、一対の上記第１弾性部材および上記第２接続部材により上記レンズホルダを支持する力と、もう一対の上記第１接続部材および上記第２弾性部材により該レンズホルダを支持する力と、該レンズホルダの重心にかかる該レンズホルダの重力とによるモーメントが釣り合う。そのため、上記レンズホルダには不要なモーメントが作用せず、該レンズホルダに生じる対物レンズの光軸に垂直な軸を中心として回転する方向への傾きを防止することができる。
【００３７】
また、上記構成によると、上記各第１弾性部材が上記各第１接続点においてレンズホルダを支持する力と、上記各第２接続部材が上記各第２接続点において該レンズホルダを支持する力と、該レンズホルダの重心にかかる重力とによるモーメントが釣り合うのに加えて、一対の上記第１弾性部材および上記第２接続部材が上記第１接続点および上記第２接続点において上記レンズホルダを支持する力と、もう一対の上記第１接続部材および上記第２弾性部材が上記第１接続点および上記第２接続点において該レンズホルダを支持する力と、該レンズホルダの重心にかかる該レンズホルダの重力とによるモーメントが釣り合う。そのため、上記レンズホルダに生じる上記光軸方向に対して回転する方向への傾きおよび対物レンズの光軸に垂直な軸を中心として回転する方向への傾きを防止することができる。
【００３８】
また、本発明の対物レンズ駆動装置では、上記第１弾性部材と上記レンズホルダとの接続位置を第１接続点とし、上記第２弾性部材と該レンズホルダとの接続位置を第２接続点とし、上記第１接続点同士を結んだ線の中点と、上記第２接続点同士を結んだ線の中点とを結んだ線上には、上記駆動手段の駆動中心が含まれていてもよい。
【００３９】
レンズホルダを対物レンズの光軸方向に変位させるとき、該レンズホルダを該光軸方向へ変位させるための駆動手段の駆動中心において、変位させるための駆動力が作用する。そのため、例えば、一対の上記第１弾性部材および上記第２接続部材が上記第１接続点および上記第２接続点において上記レンズホルダを支持する力と、もう一対の上記第１接続部材および上記第２弾性部材が上記第１接続点および上記第２接続点において該レンズホルダを支持する力と、上記駆動中心に作用する駆動力とによるモーメントが釣り合っていなければ、該レンズホルダを上記光軸方向に変位させるときに、該レンズホルダは対物レンズの光軸に垂直な軸を中心として回転する方向に傾いてしまう。
【００４０】
そこで、本発明では、１弾性部材および第２弾性部材は、上記第１接続点同士を結んだ線の中点と、上記第２接続点同士を結んだ線の中点とを結んだ線上に、上記駆動手段の駆動中心を含むように設けられる。そのため、上記レンズホルダには不要なモーメントが作用せず、該レンズホルダに生じる対物レンズの光軸に垂直な軸を中心として回転する方向への傾きを防止することができる。
【００４１】
また、上記構成によると、上記各第１弾性部材が上記各第１接続点においてレンズホルダを支持する力と、上記各第２接続部材が上記各第２接続点において該レンズホルダを支持する力と、該レンズホルダを駆動手段によって対物レンズの光軸方向へ変位させるときに駆動中心に作用する駆動力とによるモーメントが釣り合うのに加えて、一対の上記第１弾性部材および上記第２接続部材が上記第１接続点および上記第２接続点において上記レンズホルダを支持する力と、もう一対の上記第１接続部材および上記第２弾性部材が上記第１接続点および上記第２接続点において該レンズホルダを支持する力と、該レンズホルダを駆動手段によって対物レンズの光軸方向へ変位させるときに駆動中心に作用する駆動力とによるモーメントが釣り合う。そのため、上記レンズホルダに生じる上記光軸方向に対して回転する方向への傾きおよび対物レンズの光軸に垂直な軸を中心として回転する方向への傾きを防止することができる。
【００４２】
また、本発明の対物レンズ駆動装置では、上記第１弾性部材の上記支持基板から屈曲している部分までの距離と、上記第２弾性部材の上記支持基板から屈曲している部分までの距離とを異ならせてもよい。
【００４３】
光情報記録媒体の種類が異なる場合には、各光情報記録媒体に対して情報の記録または再生を行うために集光された光スポットの焦点の高さが異なる。第１弾性部材および第２弾性部材の支持基板から屈曲部までの長さが同じ場合、レンズホルダの静止位置が光スポットの焦点を合わせるために最適な位置となる。そのため、レンズホルダの静止位置と、光情報記録媒体の光スポットの焦点を合わせるために変位させた該レンズホルダの位置とが大きく異なる場合には、該レンズホルダを安定して変位させることは難しい。
【００４４】
そこで、本発明では、第１弾性部材と第２弾性部材とで、支持基板から屈曲部までの長さを異ならせている。そのため、光情報記録媒体の光スポットの焦点を合わせるために変位させたレンズホルダの位置が、該レンズホルダの静止位置よりも大きく異なる場合でも、安定して該レンズホルダを変位させることができる。
【００４５】
本発明の光ピックアップ装置は、上述したいずれかの対物レンズ駆動装置を備えることを特徴としている。
【００４６】
上記構成により、レンズホルダを対物レンズの光軸方向に変位させたときに生じる傾きを抑制する対物レンズ駆動装置を備えた光ピックアップ装置を得ることができる。
【発明の効果】
【００４７】
本発明の対物レンズ駆動装置は、以上のように、弾性部材は、少なくとも１箇所の屈曲部を有し、少なくとも１箇所の屈曲部において、屈曲前後のそれぞれの軸方向が互いに異なるとともに、上記対物レンズの光軸を含む平面と平行な平面に含まれる構成である。
【００４８】
これにより、レンズホルダを対物レンズの光軸方向へ変位させるとき、該レンズホルダに生じる傾きを抑制する対物レンズ駆動装置を提供することが実現できる。
【発明を実施するための最良の形態】
【００４９】
本発明の一実施形態について図１〜図８に基づいて説明すると以下の通りである。
【００５０】
本実施形態の対物レンズ駆動装置は、光源から放射された光を対物レンズによって光情報記録媒体の記録面に光スポットとして集光させ、該対物レンズをフォーカス方向およびトラッキング方向に変位させ、該光スポットの焦点合わせおよび位置合わせを行うものである。
【００５１】
なお、本実施形態では、フォーカス方向とは対物レンズの光軸方向であり、トラッキング方向とはディスク状の光情報記録媒体の半径方向である。また、光情報記録媒体とは、光ディスクや光磁気ディスクなど、記録面に光を集光することで情報の記録又は再生が可能な記録媒体を指す。
【００５２】
〔実施例１〕
図１および図２を参照して、本実施形態の実施例１における対物レンズ駆動装置１の構成について説明する。図１は、対物レンズ駆動装置１の構成を示す斜視図である。また、図２は対物レンズ駆動装置１の構成を示す側面図である。
【００５３】
対物レンズ駆動装置１は、レンズホルダ２と、支持ワイヤ（弾性部材）３ａ・３ｂ・３ｃ・３ｄと、基板４と、ワイヤ支持台（支持基板）５と、磁石支持基板１１ａ・１１ｂとを備えている。
【００５４】
なお、本実施形態では、図１および図２に示すようなレンズホルダ２を駆動していない状態をレンズホルダ２の静止位置とする。
【００５５】
基板４は、対物レンズ駆動装置１の土台となるものであり、長方形の板状をしている。ワイヤ支持台５は、レンズホルダ２を支持ワイヤ３ａ・３ｂ・３ｃ・３ｄを介して支持するためのものである。基板４の一方の短辺に沿って、直方体のワイヤ支持台５が垂直に設けられている。また、基板４には、ワイヤ支持台５が設けられた面と同じ面に対して垂直に直方体の磁石支持基板１１ａ・１１ｂが設けられている。
【００５６】
レンズホルダ２は、対物レンズ６を保持し、対物レンズ６をフォーカス方向およびトラッキング方向に駆動するためのものである。レンズホルダ２は、対物レンズ６と、接続部７ａ・７ｂと、フォーカスコイル８と、トラッキングコイル９とを備えている。レンズホルダ２のフォーカス方向への駆動は、レンズホルダ２に設けられたフォーカスコイル８と、基板４に垂直に設けられた磁石支持基板１１ａと、磁石支持基板１１ａに支持された磁石１０ａとがフォーカス方向磁気回路（駆動手段）を形成し、フォーカスコイル８に電流が流されることにより行われる。また、レンズホルダ２のトラッキング方向への駆動は、レンズホルダ２に設けられたトラッキングコイル９と、基板４に垂直に設けられた磁石支持基板１１ｂと、磁石支持基板１１ｂに支持された磁石１０ｂとがトラッキング方向磁気回路を形成し、トラッキングコイル９に電流が流されることにより行われる。
【００５７】
レンズホルダ２は、上記フォーカス方向磁気回路および上記トラッキング方向磁気回路を備えた直方体部分と、上記直方体部分の一方の短辺に設けられた対物レンズを備えたレンズ保持部分とが一体化して構成されている。そして、レンズホルダ２の長手方向の両側面には、支持ワイヤ３ａ・３ｂ・３ｃ・３ｄが接続される接続部７ａ・７ｂが設けられている。接続部７ａ・７ｂは、矩形形状の板状であり、レンズホルダ２の上面および下面からの距離が略均等な位置に設けられている。
【００５８】
支持ワイヤ３ａ・３ｂ・３ｃ・３ｄは、弾性を有したワイヤであり、レンズホルダ２をレンズホルダ２の下面が基板４の上面に対して平行になるようにワイヤ支持台５に接続するためのものである。支持ワイヤ３ａ・３ｂ・３ｃ・３ｄは、その一端がワイヤ支持台５に接続されている。そして、支持ワイヤ３ａと支持ワイヤ３ｂとはフォーカス方向と垂直に、かつ、フォーカス方向に並んで設けられている。支持ワイヤ３ａおよび支持ワイヤ３ｂは、ワイヤ支持台５からレンズホルダ２の長手方向に沿って接続部７ａの上面および下面から垂直に所定の距離だけ離れた位置まで延びている。そして、支持ワイヤ３ａおよび支持ワイヤ３ｂは、フォーカス方向において互いに逆方向に屈折し、接続部７ａの上面および下面に接続される。
【００５９】
同様に、支持ワイヤ３ｃと支持ワイヤ３ｄとはフォーカス方向と垂直に、かつ、フォーカス方向に並んで設けられている。支持ワイヤ３ｃおよび支持ワイヤ３ｄは、ワイヤ支持台５からレンズホルダ２の長手方向に沿って接続部７ｂの上面および下面から垂直に所定の距離だけ離れた位置まで延びている。そして、支持ワイヤ３ｃおよび支持ワイヤ３ｄは、フォーカス方向において互いに逆方向に屈曲し、接続部７ｂの上面および下面に接続される。
【００６０】
なお、本実施形態では、支持ワイヤ３ａ・３ｂ・３ｃ・３ｄとして弾性を有したワイヤを用いているが、本発明はこれに限られない。つまり、レンズホルダ２をワイヤ支持台５に支持するための支持部材としては、弾性を有するものであればよく、例えば、板材などであってもよい。
【００６１】
なお、接続部７ａ・７ｂのレンズホルダ２への取付け位置および支持ワイヤ３ａ・３ｂ・３ｃ・３ｄと接続部７ａ・７ｂとの接続位置については後で具体的に説明する。
【００６２】
ここで、実施例１の対物レンズ駆動装置１において、レンズホルダ２をフォーカス方向へ変位させたときに生じるタンジェンシャルチルトが抑制される構成について図３を参照して説明する。なお、本実施形態では、タンジェンシャルチルトとは、接続部７ａ・７ｂを軸としてレンズホルダ２が回転する方向への傾きである。
【００６３】
図３は、実施例１の対物レンズ駆動装置１に作用する応力を示した側面図である。図中の矢印は、支持ワイヤ３ａ（３ｃ）・３ｂ（３ｄ）に作用する圧縮応力または引っ張り応力を示す。また、図中の白抜きの矢印は、支持ワイヤ３ａ（３ｃ）・３ｂ（３ｄ）の屈曲部に作用する曲げ応力を示す。
【００６４】
上述したように、従来、弾性部材が直線状のワイヤなどによって構成されている場合には、レンズホルダをフォーカス方向に変位させることにより、該弾性部材に圧縮応力および引っ張り応力が作用し、該弾性部材に変形が生じる。そのため、従来の対物レンズ駆動装置では、レンズホルダがタンジェンシャルチルトを起こす。
【００６５】
そこで、本実施形態では、支持ワイヤ３ａ・３ｃおよび支持ワイヤ３ｂ・３ｄを互いにフォーカス方向において逆向きに屈曲させることにより、レンズホルダ２をフォーカス方向に変位させることにより生じた圧縮応力および引っ張り応力を該屈曲部において曲げ応力へと変える構成となっている。
【００６６】
具体的には、例えば、レンズホルダ２を静止位置からフォーカス上方向（基板４からレンズホルダ２が離れる方向）に駆動させる場合には、支持ワイヤ３ａ・３ｃのワイヤ支持台５に接続された部分から屈曲部までの部分には、図中の矢印で示すように、圧縮応力が作用する。支持ワイヤ３ａ・３ｃに作用した圧縮応力は、図中の白抜きの矢印で示すように、支持ワイヤ３ａ・３ｃの上記屈曲部において角度を小さくしようとする曲げ応力へと変えられる。そのため、支持ワイヤ３ａ・３ｃの上記屈曲部の角度がレンズホルダ２の静止位置における角度より小さくなるよう変形される。
【００６７】
これに対し、支持ワイヤ３ｂ・３ｄのワイヤ支持台５に接続された部分から屈曲部までの部分には、図中の矢印で示すように、引っ張り応力が作用する。支持ワイヤ３ｂ・３ｄに作用した引っ張り応力は、図中の白抜きの矢印で示すように、支持ワイヤ３ｂ・３ｄの上記屈曲部において角度を大きくしようとする曲げ応力へと変えられる。そのため、支持ワイヤ３ｂ・３ｄの上記屈曲部の角度がレンズホルダ２の静止位置における角度より大きくなるよう変形される。
【００６８】
つまり、例えば、レンズホルダ２を静止位置からフォーカス上方向に駆動させる場合には、支持ワイヤ３ａ・３ｃに作用した圧縮応力が上記屈曲部で角度を小さくする曲げ応力に変えられ、支持ワイヤ３ｂ・３ｄに作用した引っ張り応力が上記屈曲部で角度を大きくする曲げ応力に変えられる。そのため、支持ワイヤ３ａ・３ｂ・３ｃ・３ｄのワイヤ支持台５に接続された部分から上記屈曲部までの部分の変形を抑制され、レンズホルダ２に生じるタンジェンシャルチルトが抑制される。その結果、レンズホルダ２を水平にフォーカス方向に変位させることができる。
【００６９】
なお、支持ワイヤ３ａ・３ｂ・３ｃ・３ｄにおける屈曲部の角度は約９０度であることが好ましい。上記屈曲部を９０度よりも鋭角にすると、支持ワイヤ３ａ・３ｂ・３ｃ・３ｄに圧縮応力が作用する場合は該屈曲部において応力を吸収しやすいが、引っ張り応力が作用する場合は該屈曲部において応力を吸収しにくい。また、上記屈曲部の角度を９０度よりも鈍角にすると、支持ワイヤ３ａ・３ｂ・３ｃ・３ｄに引っ張り応力が作用する場合は該屈曲部において応力を吸収しやすいが、圧縮応力が作用する場合は該屈曲部において応力を吸収しにくい。
【００７０】
このように、支持ワイヤ３ａ・３ｂ・３ｃ・３ｄの屈曲部の角度を約９０度にすることにより、支持ワイヤ３ａ・３ｂ・３ｃ・３ｄに作用する圧縮応力または引っ張り応力を、該屈曲部において容易に曲げ応力へと変えることができる。そのため、本実施形態の対物レンズ駆動装置１は、レンズホルダ２を静止位置からフォーカス方向の両方向に等しい距離を安定して変位させる事が可能となる。
【００７１】
例えば、ＤＶＤ・ＣＤのような異なる種類の光情報記録媒体を一体型した場合には、各光情報記録媒体に対して情報の記録または再生を行うために集光された光スポットの焦点の高さが異なる。そのため、本実施形態の対物レンズ駆動装置１において、各光情報記録媒体の光スポットの焦点高さの中間位置近傍をレンズホルダ２の静止位置とすることにより、各光情報記録媒体に対する記録または再生特性を安定させることができる。
【００７２】
なお、本実施形態では、支持ワイヤ３ａ・３ｂ・３ｃ・３ｄは１箇所で屈曲しているが、本発明はこれに限られない。つまり、支持ワイヤ３ａ・３ｂ・３ｃ・３ｄは複数の箇所でフォーカス方向に屈曲してもよい。また、支持ワイヤ３ａ・３ｂ・３ｃ・３ｄはフォーカス方向以外の方向へ屈曲してもよい。ただし、支持ワイヤ３ａ・３ｂ・３ｃ・３ｄを１箇所でフォーカス方向に屈曲させることにより、支持ワイヤ３ａ・３ｂ・３ｃ・３ｄに作用する圧縮応力および引っ張り応力は、該屈曲部で集中して曲げ応力に変えることができる。これにより、支持ワイヤ３ａ・３ｂ・３ｃ・３ｄが上記屈曲部以外の部分で撓むことを抑制できるため、安定してレンズホルダ２をフォーカス方向に変位させることができる。
【００７３】
〔実施例２〕
次に、本実施形態の実施例２について以下に説明する。上述したように、光情報記録媒体の種類が異なる場合には、各光情報記録媒体に対して情報の記録または再生を行うために集光された光スポットの焦点の高さが異なる。実施例１の対物レンズ駆動装置１では、レンズホルダ２が静止位置にあるときが光スポットの焦点を合わせるために最適な位置となる。そのため、レンズホルダ２の静止位置と、光情報記録媒体の光スポットの焦点を合わせるために変位させたレンズホルダ２の位置とが大きく異なる場合には、レンズホルダ２を安定して変位させることは難しい。
【００７４】
そこで、実施例２では、レンズホルダ２の静止位置と光スポットの焦点の高さとが大きく異なる場合にも、安定して焦点を合わせることができる対物レンズ駆動装置２１について図４を参照して説明する。図４は、実施例２の対物レンズ駆動装置２１の構成を示す側面図である。なお、実施例１の対物レンズ駆動装置１における構成要素と、同等の機能を有する構成要素については同一の符号を付記している。
【００７５】
実施例２の対物レンズ駆動装置２１において、実施例１の対物レンズ駆動装置１と異なる構成について説明する。対物レンズ駆動装置２１では、レンズホルダ２を基板４に対して平行になるようにワイヤ支持台５に接続するために支持ワイヤ２３ａ・２３ｂ・２３ｃ・２３ｄが設けられている。支持ワイヤ２３ａ・２３ｂ・２３ｃ・２３ｄの配置は支持ワイヤ３ａ・３ｂ・３ｃ・３ｄと同一であるので説明は省略する。
【００７６】
対物レンズ駆動装置２１では、支持ワイヤ２３ａのワイヤ支持台５から屈曲部までの長さは、支持ワイヤ２３ｂのワイヤ支持台５から屈曲部までの長さより短い構成である。同様に、支持ワイヤ２３ｃのワイヤ支持台５から接続部７ｂの上部までの長さは、支持ワイヤ２３ｄのワイヤ支持台５から接続部７ｂの下部までの長さより短い構成である。
【００７７】
これにより、支持ワイヤ２３ａ・２３ｃのワイヤ支持台５から屈曲部までの長さと、該屈曲部から接続部７ａ・７ｂの上面の接続位置までの長さとの比は、支持ワイヤ２３ｂ・２３ｄの比と比較して小さくなる。このため、レンズホルダ２は、レンズホルダ２の静止位置よりも低い位置への移動が安定して行われる。そのため、対物レンズ駆動装置２１は、レンズホルダ２の静止位置よりも低い位置が光スポットの焦点の高さとなる光情報記録媒体に対して好適に用いられる。
【００７８】
また、逆に支持ワイヤ２３ａおよび支持ワイヤ２３ｃのワイヤ支持台５から屈曲部までの長さが、支持ワイヤ２３ｂおよび支持ワイヤ２３ｄのワイヤ支持台５から屈曲部までの長さより長くする構成にしてもよい。この場合、対物レンズ駆動装置２１は、レンズホルダ２の静止位置よりも高い位置が光スポットの焦点の高さとなる光情報記録媒体に対して好適に用いられる。
【００７９】
〔支持ワイヤの接続位置〕
次に、レンズホルダ２の長手方向の両側面に対する接続部７ａ・７ｂの取付け位置並びに実施例１における支持ワイヤ３ａ・３ｂ・３ｃ・３ｄおよび実施例２における支持ワイヤ２３ａ・２３ｂ・２３ｃ・２３ｄの接続部７ａ・７ｂへの接続位置について図５〜図８を参照して以下に説明する。なお、以下の説明においては、実施例１の支持ワイヤ３ａ・３ｂ・３ｃ・３ｄについて説明しているが、実施例２の支持ワイヤ２３ａ・２３ｂ・２３ｃ・２３ｄについても適用することができる。
【００８０】
上述したように、支持ワイヤ３ａ・３ｃおよび支持ワイヤ３ｂ・３ｄをフォーカス方向において互いに逆方向へ屈曲させることにより、レンズホルダ２をフォーカス方向へ変位させることにより生じた圧縮応力および引っ張り応力は該屈曲部において曲げ応力へと変えられる。上記屈曲部において、支持ワイヤ３ａ・３ｂ・３ｃ・３ｄに作用する圧縮応力および引っ張り応力を効率よく曲げ応力へと変えるためには、レンズホルダ２に不要なモーメントが生じないことが望ましい。そのためには、支持ワイヤ３ａ・３ｂ・３ｃ・３ｄの接続部７ａ・７ｂへの取付け位置を考慮する必要がある。
【００８１】
レンズホルダ２が不要なモーメントを生じないような支持ワイヤ３ａ・３ｂ・３ｃ・３ｄの接続部７ａ・７ｂへの取付け位置として、レンズホルダ２の重心を考慮した構成と、レンズホルダ２のフォーカス方向磁気回路の駆動中心を考慮した構成とが考えられる。
【００８２】
まず、支持ワイヤ３ａ・３ｂ・３ｃ・３ｄの接続部７ａ・７ｂへの取付け位置として、レンズホルダ２の重心を考慮した構成について図５を参照して説明する。
【００８３】
なお、支持ワイヤ３ａおよび支持ワイヤ３ｃが、接続部７ａおよび接続部７ｂの上面に接続された点を接続点１３ａおよび接続点１３ｃ（第１接続点）とし、支持ワイヤ３ｂおよび支持ワイヤ３ｄが接続部７ａおよび接続部７ｂの下面に接続された点を接続点１３ｂおよび接続点１３ｄ（第２接続点）とする。
【００８４】
図５（ａ）は、本実施形態の支持ワイヤ３ａ・３ｂ・３ｃ・３ｄと接続部７ａ・７ｂとの接続位置とレンズホルダ２の重心１２との関係を示す平面図であり、（ｂ）は、（ａ）のＡ−Ａ’断面を矢印の方向からみた断面図である。なお、図中の点１２はレンズホルダ２の重心を示しており、点１４はＡ−Ａ’断面に投影されたレンズホルダ２の重心を示している。また、図中の×印１５は接続点１３ａおよび接続点１３ｃの中点を示しており、×印１６は接続点１３ａおよび接続点１３ｂの中点を示している。
【００８５】
支持ワイヤ３ａ・３ｂ・３ｃ・３ｄの接続部７ａ・７ｂへの取付け位置とレンズホルダ２の重心との位置関係により、静止位置においてレンズホルダ２に不要なモーメントが生じる例を以下に挙げる。
【００８６】
例えば、支持ワイヤ３ａおよび支持ワイヤ３ｃが接続点１３ａおよび接続点１３ｃにおいてレンズホルダ２を支持する力と、支持ワイヤ３ｂおよび支持ワイヤ３ｄが接続点１３ｂおよび接続点１３ｄにおいてレンズホルダ２を支持する力と、レンズホルダ２の重心１２にかかる重力とによるモーメントの釣り合いがとれていない場合には、静止位置において、レンズホルダ２はタンジェンシャルチルトを起こす。
【００８７】
また、例えば、支持ワイヤ３ａおよび支持ワイヤ３ｂが接続点１３ａおよび接続点１３ｂにおいてレンズホルダ２を支持する力と、支持ワイヤ３ｃおよび支持ワイヤ３ｄが接続点１３ｃおよび接続点１３ｄにおいてレンズホルダ２を支持する力と、レンズホルダ２の重心１２にかかる重力とによるモーメントの釣り合いがとれていない場合には、静止位置において、レンズホルダ２はラジアルチルトを起こす。なお、本実施形態では、ラジアルチルトとは、対物レンズ６の光軸に対して垂直であって、かつ、レンズホルダ２の長手方向に平行な線を軸として回転する方向への傾きである。
【００８８】
このように、静止位置においてレンズホルダ２に対し不要なモーメントが作用していると、レンズホルダ２には傾きが生じる。レンズホルダ２に生じた傾きは、レンズホルダ２をフォーカス方向に変位させるとき、支持ワイヤ３ａ・３ｂ・３ｃ・３ｄに作用する圧縮応力および引っ張り応力を屈曲部において曲げ応力へと変化させにくくする。
【００８９】
そのため、支持ワイヤ３ａ・３ｂ・３ｃ・３ｄは、接続点１３ａおよび接続点１３ｂの中点１６と、接続点１３ｃおよび接続点１３ｄの図示しない中点とを結ぶ線上にレンズホルダ２の重心１２が含まれるように、かつ、接続点１３ａおよび接続点１３ｃの中点１５と、接続点１３ｂおよび接続点１３ｄの図示していない中点とを結ぶ線上にレンズホルダ２の重心１２が含まれるように接続部７ａおよび接続部７ｂの上面および下面に接続される。
【００９０】
上記構成を具体的に図５（ａ）および図５（ｂ）を参照して説明する。
【００９１】
ここで、接続部７ａおよび接続部７ｂは、図５（ａ）に示すように、レンズホルダ２を上面から見た場合において、レンズホルダ２の重心１２に対して点対称となるようにレンズホルダ２の長手方向の両側面に設けられている。また、接続部７ａおよび接続部７ｂは、図５（ｂ）に示すように、レンズホルダ２を接続部７ａが設けられた側面から見た場合において、Ａ−Ａ’断面に投影されたレンズホルダ２の重心１４を含むようにレンズホルダ２の長手方向の両側面に設けられている。
【００９２】
支持ワイヤ３ａ・３ｃは、図５（ａ）に示すように、レンズホルダ２を上面から見た場合において、接続点１３ａおよび接続点１３ｃの中点１５がレンズホルダ２の重心１２に重なるように接続部７ａおよび接続部７ｂの上面に接続される。また、支持ワイヤ３ｂ・３ｄも、同様の構成で接続部７ａおよび接続部７ｂの下面に接続される。
【００９３】
また、支持ワイヤ３ａ・３ｂは、図５（ｂ）に示すように、レンズホルダ２を接続部７ａが設けられた側面から見た場合において、接続点１３ａおよび接続点１３ｂの中点１６がＡ−Ａ’断面に投影されたレンズホルダ２の重心１４に重なるように接続部７ａの上面および下面に接続される。また、図示していないが、レンズホルダ２を接続部７ｂが設けられた側面から見た場合において、支持ワイヤ３ｃ・３ｄも、同様の構成で接続部７ｂの上面および下面に接続される。
【００９４】
上記構成により、支持ワイヤ３ａおよび支持ワイヤ３ｂが接続点１３ａおよび接続点１３ｂにおいてレンズホルダ２を支持する力と、支持ワイヤ３ｃおよび支持ワイヤ３ｄが接続点１３ｃおよび接続点１３ｄにおいてレンズホルダ２を支持する力と、レンズホルダ２の重心１２にかかる重力とによるモーメントが釣り合う。また、支持ワイヤ３ａおよび支持ワイヤ３ｃが接続点１３ａおよび接続点１３ｃにおいてレンズホルダ２を支持する力と、支持ワイヤ３ｂおよび支持ワイヤ３ｄが接続点１３ｂおよび接続点１３ｄにおいてレンズホルダ２を支持する力と、レンズホルダ２の重心１２にかかる重力とによるモーメントが釣り合う。
【００９５】
そのため、レンズホルダ２には不要なモーメントが作用せず、レンズホルダ２に生じるラジアルチルトおよびタンジェンシャルチルトを抑制することができる。
【００９６】
次に、支持ワイヤ３ａ・３ｂ・３ｃ・３ｄと接続部７ａ・７ｂとの接続位置とレンズホルダ２の重心が適した位置関係にない場合に、レンズホルダ２に作用するモーメントについて図６を参照して説明する。
【００９７】
図６（ａ）は、支持ワイヤ３ａ・３ｂ・３ｃ・３ｄと接続部７ａ・７ｂとの接続位置とレンズホルダ２の重心が適した位置関係にない場合を示す平面図であり、（ｂ）は（ａ）のＡ−Ａ’断面を矢印の方向からみた断面図である。図中の矢印はレンズホルダ２に作用するモーメントを示している。
【００９８】
図６（ａ）に示すように、支持ワイヤ３ａ・３ｂ・３ｃ・３ｄは、レンズホルダ２を上面から見た場合において、接続点１３ａおよび接続点１３ｃの中点１５並びに接続点１３ｂおよび接続点１３ｄの図示しない中点がレンズホルダ２の重心１２に重ならないように、接続部７ａおよび接続部７ｂの上面および下面に接続されている。また、図６（ｂ）に示すように、支持ワイヤ３ａ・３ｂ・３ｃ・３ｄは、レンズホルダ２を接続部７ａが設けられた側面から見た場合において、接続点１３ａおよび接続点１３ｂの中点１６がＡ−Ａ’断面に投影されたレンズホルダ２の重心１４に重ならないように、接続部７ａの上面および下面に接続されている。また、図示していないが、レンズホルダ２を接続部７ｂが設けられた側面から見た場合において、支持ワイヤ３ｃ・３ｄも、同様の構成で接続部７ｂの上面および下面に接続されている。
【００９９】
このため、支持ワイヤ３ａおよび支持ワイヤ３ｃが接続点１３ａおよび接続点１３ｃにおいてレンズホルダ２を支持する力と、支持ワイヤ３ｂおよび支持ワイヤ３ｄが接続点１３ｂおよび１３ｄにおいてレンズホルダ２を支持する力と、レンズホルダ２の重心１２にかかる重力とによるモーメントが釣り合わない。そして、図中の矢印で示すように、レンズホルダ２には、レンズホルダ２がフォーカス上方向に回転するようなモーメントが生じる。そのため、レンズホルダ２は静止位置においてタンジェンシャルチルトを生じてしまう。
【０１００】
次に、支持ワイヤ３ａ・３ｂ・３ｃ・３ｄと接続部７ａ・７ｂとの接続位置として、レンズホルダ２のフォーカス方向磁気回路の駆動中心を考慮した構成について図７および図８を参照して説明する。
【０１０１】
図７（ａ）は、本実施形態の支持ワイヤ３ａ・３ｂ・３ｃ・３ｄと接続部７ａ・７ｂとの接続位置とレンズホルダのフォーカス駆動中心との関係を示す平面図であり、（ｂ）は、（ａ）のＡ−Ａ’断面を矢印の方向からみた断面図である。なお、１７はフォーカス方向磁気回路の駆動中心を示しており、１８はＡ−Ａ’断面に投影されたフォーカス方向磁気回路の駆動中心を示す。
【０１０２】
支持ワイヤ３ａ・３ｂ・３ｃ・３ｄの接続部７ａ・７ｂへの取付け位置とレンズホルダ２のフォーカス方向磁気回路の駆動中心１７との位置関係により、レンズホルダ２に不要なモーメントが生じる例を以下に挙げる。ここで、フォーカス方向磁気回路の駆動中心１７とは、レンズホルダ２のフォーカス方向磁気回路において、レンズホルダ２をフォーカス方向に変位させるとき、変位させるための駆動力が作用する点である。
【０１０３】
例えば、支持ワイヤ３ａおよび支持ワイヤ３ｃが接続点１３ａおよび接続点１３ｃにおいてレンズホルダ２を支持する力と、支持ワイヤ３ｂおよび支持ワイヤ３ｄが接続点１３ｂおよび接続点１３ｄにおいてレンズホルダ２を支持する力と、レンズホルダ２をフォーカス方向に変位させる際にフォーカス方向磁気回路の駆動中心１７に作用する駆動力とによるモーメントの釣り合いがとれていない場合には、レンズホルダ２をフォーカス方向に変位させる際に、レンズホルダ２はタンジェンシャルチルトを起こす。
【０１０４】
また、例えば、支持ワイヤ３ａおよび支持ワイヤ３ｂが接続点１３ａおよび接続点１３ｂにおいてレンズホルダ２を支持する力と、支持ワイヤ３ｃおよび支持ワイヤ３ｄが接続点１３ｃおよび接続点１３ｄにおいてレンズホルダ２を支持する力と、レンズホルダ２をフォーカス方向に変位させる際にフォーカス方向磁気回路の駆動中心１７に作用する駆動力とによるモーメントの釣り合いがとれていない場合には、レンズホルダ２をフォーカス方向に変位させる際に、レンズホルダ２はラジアルチルトを起こす。なお、本実施形態では、ラジアルチルトとは、対物レンズ６の光軸に対して垂直であって、かつ、レンズホルダ２の長手方向に平行な線を軸として回転する方向への傾きである。
【０１０５】
このように、レンズホルダ２をフォーカス方向に変位させるときに、レンズホルダ２に対し不要なモーメントが作用していると、レンズホルダ２には傾きが生じる。レンズホルダ２に生じた傾きは、レンズホルダ２をフォーカス方向に変位させるとき、支持ワイヤ３ａ・３ｂ・３ｃ・３ｄに作用する圧縮応力および引っ張り応力を屈曲部において曲げ応力へと変化させにくくする。
【０１０６】
そのため、支持ワイヤ３ａ・３ｂ・３ｃ・３ｄは、接続点１３ａおよび接続点１３ｂの中点１６と、接続点１３ｃおよび接続点１３ｄの図示しない中点とを結ぶ線上にレンズホルダ２のフォーカス方向磁気回路の駆動中心１７が含まれるように、かつ、接続点１３ａおよび接続点１３ｃの中点１５と、接続点１３ｂおよび接続点１３ｄの図示していない中点とを結ぶ線上にレンズホルダ２のフォーカス方向磁気回路の駆動中心１７が含まれるように接続部７ａおよび接続部７ｂの上面および下面に接続される。
【０１０７】
上記構成を具体的に図７（ａ）および図７（ｂ）を参照して説明する。
【０１０８】
ここで、図７（ａ）に示すように、接続部７ａおよび接続部７ｂは、レンズホルダ２を上面から見た場合において、レンズホルダ２のフォーカス方向磁気回路の駆動中心に対して点対称となるようにレンズホルダ２の長手方向の両側面に設けられている。また、接続部７ａおよび接続部７ｂは、図７（ｂ）に示すように、レンズホルダ２を接続部７ａが設けられた側面から見た場合において、Ａ−Ａ’断面に投影されたフォーカス方向磁気回路の駆動中心１８を含むようにレンズホルダ２の長手方向の両側面に設けられている。
【０１０９】
支持ワイヤ３ａ・３ｃは、図７（ａ）に示すように、レンズホルダ２を上面から見た場合において、接続点１３ａおよび接続点１３ｃの中点１５がレンズホルダ２のフォーカス方向磁気回路の駆動中心１７に重なるように接続部７ａおよび接続部７ｂの上面に接続される。また、支持ワイヤ３ｂ・３ｄも、同様の構成で接続部７ａおよび接続部７ｂの下面に接続される。
【０１１０】
また、支持ワイヤ３ａ・３ｂは、図５（ｂ）に示すように、レンズホルダ２を接続部７ａが設けられた側面から見た場合において、接続点１３ａおよび接続点１３ｂの中点１６がＡ−Ａ’断面に投影されたフォーカス方向磁気回路の駆動中心１８に重なるように接続部７ａの上面および下面に接続される。また、図示していないが、レンズホルダ２を接続部７ｂが設けられた側面から見た場合において、支持ワイヤ３ｃ・３ｄも、同様の構成で接続部７ｂの上面および下面に接続される。
【０１１１】
上記構成により、支持ワイヤ３ａおよび支持ワイヤ３ｂが接続点１３ａおよび接続点１３ｂにおいてレンズホルダ２を支持する力と、支持ワイヤ３ｃおよび支持ワイヤ３ｄが接続点１３ｃおよび接続点１３ｄにおいてレンズホルダ２を支持する力と、レンズホルダ２をフォーカス方向磁気回路によってフォーカス方向へ変位させるときに駆動中心１７に作用する駆動力とによるモーメントが釣り合う。また、支持ワイヤ３ａおよび支持ワイヤ３ｃが接続点１３ａおよび接続点１３ｃにおいてレンズホルダ２を支持する力と、支持ワイヤ３ｂおよび支持ワイヤ３ｄが接続点１３ｂおよび接続点１３ｄにおいてレンズホルダ２を支持する力と、レンズホルダ２をフォーカス方向磁気回路によってフォーカス方向へ変位させるときに駆動中心１７に作用する駆動力とによるモーメントが釣り合う。
【０１１２】
そのため、レンズホルダ２には不要なモーメントが作用せず、レンズホルダ２に生じるラジアルチルトおよびタンジェンシャルチルトを抑制することができる。
【０１１３】
また、図８（ａ）は、支持ワイヤ３ａ・３ｂ・３ｃ・３ｄと接続部７ａ・７ｂとの接続位置とレンズホルダ２の駆動中心１７とが適した位置関係にない場合を示す平面図であり、（ｂ）は（ａ）のＡ−Ａ’断面を矢印の方向からみた断面図である。なお、図中の矢印はレンズホルダ２に作用するモーメントを示している。
【０１１４】
図８（ａ）に示すように、支持ワイヤ３ａ・３ｂ・３ｃ・３ｄは、レンズホルダ２を上面から見た場合において、接続点１３ａおよび接続点１３ｃの中点１５並びに接続点１３ｂおよび接続点１３ｄの図示しない中点がレンズホルダ２のフォーカス方向磁気回路の駆動中心１７に重ならないように、接続部７ａおよび接続部７ｂの上面および下面に接続されている。また、図８（ｂ）に示すように、支持ワイヤ３ａ・３ｂ・３ｃ・３ｄは、レンズホルダ２を接続部７ａが設けられた側面から見た場合において、接続点１３ａおよび接続点１３ｂの中点１６がＡ−Ａ’断面に投影されたフォーカス方向磁気回路の駆動中心１８に重ならないように、接続部７ａの上面および下面に接続されている。また、図示していないが、レンズホルダ２を接続部７ｂが設けられた側面から見た場合において、支持ワイヤ３ｃ・３ｄも、同様の構成で接続部７ｂの上面および下面に接続されている。
【０１１５】
このため、支持ワイヤ３ａおよび支持ワイヤ３ｃが接続点１３ａおよび接続点１３ｃにおいてレンズホルダ２を支持する力と、支持ワイヤ３ｂおよび支持ワイヤ３ｄが接続点１３ｂおよび１３ｄにおいてレンズホルダ２を支持する力と、レンズホルダ２をフォーカス方向磁気回路によってフォーカス方向へ変位させるときに駆動中心１７に作用する駆動力とによるモーメントが釣り合わない。そして、図中の矢印で示すように、レンズホルダ２には、レンズホルダ２がフォーカス下方向に回転するようなモーメントが生じる。それにより、レンズホルダ２は静止位置においてタンジェンシャルチルトを生じてしまう。
【０１１６】
なお、本実施形態では、支持ワイヤ３ａ・３ｂ・３ｃ・３ｄは、接続点１３ａおよび接続点１３ｂの中点１６と、接続点１３ｃおよび接続点１３ｄの図示しない中点とを結ぶ線上にレンズホルダ２の重心１２またはレンズホルダ２のフォーカス方向磁気回路の駆動中心１７が含まれるように、かつ、接続点１３ａおよび接続点１３ｃの中点１５と、接続点１３ｂおよび接続点１３ｄの図示していない中点とを結ぶ線上にレンズホルダ２の重心１２またはレンズホルダ２のフォーカス方向磁気回路の駆動中心１７が含まれるように接続部７ａおよび接続部７ｂの上面および下面に接続される構成であるが、本発明はこれに限られない。
【０１１７】
つまり、支持ワイヤ３ａ・３ｂ・３ｃ・３ｄは、接続点１３ａおよび接続点１３ｂの中点１６と、接続点１３ｃおよび接続点１３ｄの図示しない中点とを結ぶ線上にレンズホルダ２の重心１２またはレンズホルダ２のフォーカス方向磁気回路の駆動中心１７が含まれるように接続部７ａおよび接続部７ｂの上面および下面に接続される構成だけであってもよい。また、支持ワイヤ３ａ・３ｂ・３ｃ・３ｄは、接続点１３ａおよび接続点１３ｃの中点１５と、接続点１３ｂおよび接続点１３ｄの図示していない中点とを結ぶ線上にレンズホルダ２の重心１２またはレンズホルダ２のフォーカス方向磁気回路の駆動中心１７が含まれるように接続部７ａおよび接続部７ｂの上面および下面に接続される構成だけであってもよい。
【０１１８】
なお、本実施形態では、支持ワイヤ３ａ・３ｂ・３ｃ・３ｄはレンズホルダ２の長手方向の側面に設けられた接続部７ａ・７ｂに接続されているが、本発明はこれに限られない。つまり、支持ワイヤ３ａ・３ｂ・３ｃ・３ｄはレンズホルダ２に直接接続される構成であってもよい。また、本実施形態では、支持ワイヤ３ａ・３ｂ・３ｃ・３ｄはそれぞれが平行に設けられているが、特許文献２の構成のように互いに交差した構成であってもよい。
【０１１９】
なお、本実施形態の対物レンズ駆動装置１では、レンズホルダ２の重心１２とフォーカス方向磁気回路の駆動中心１７とが一致している構成が最も好ましい。上記構成により、対物レンズ駆動装置１は、レンズホルダ２が静止位置にある場合およびレンズホルダ２がフォーカス方向に変位する場合において、レンズホルダ２に生じる傾きを抑制することができる。
【０１２０】
レンズホルダ２の重心１２とフォーカス方向磁気回路の駆動中心１７とを一致させるためには、フォーカス方向磁気回路の駆動中心１７に対してレンズホルダ２の重心１２の位置を調節する必要がある。これは、レンズホルダ２の形状を変化させたり、レンズホルダ２に錘を設けたりすることによって行われる。しかしながら、レンズホルダ２の重心１２の位置を調節することは、煩雑であり、コストもかかってしまう。
【０１２１】
上述したような、支持ワイヤ３ａ・３ｂ・３ｃ・３ｄを、レンズホルダ２の重心１２またはフォーカス方向磁気回路の駆動中心１７を考慮して接続部７ａ・７ｂに接続する構成は、レンズホルダ２の重心１２とフォーカス方向磁気回路の駆動中心１７とを一致させた構成ほどレンズホルダ２に生じる傾きを抑制することはできない。しかし、レンズホルダ２の重心１２の位置を調節する必要がなく、容易に、かつ、安価にレンズホルダ２に生じる傾きを抑制することができる。
【０１２２】
以上のように、本実施形態の対物レンズ駆動装置１では、支持ワイヤ３ａ・３ｂ・３ｃ・３ｄは、少なくとも１箇所の屈曲部を有し、少なくとも１箇所の屈曲部において、屈曲前後のそれぞれの軸方向が互いに異なるとともに、対物レンズ６の光軸を含む平面と平行な平面に含まれている。そのため、レンズホルダ２をフォーカス方向に変位させるとき、支持ワイヤ３ａ・３ｂ・３ｃ・３ｄに生じる圧縮応力および引っ張り応力が上記屈曲部において曲げ応力に変えられる。そして、支持ワイヤ３ａ・３ｂ・３ｃ・３ｄの屈曲部の角度が変化する。
【０１２３】
上記構成では、支持ワイヤ３ａ・３ｂ・３ｃ・３ｄを少なくとも１箇所でフォーカス方向に屈曲させることにより、支持ワイヤ３ａ・３ｂ・３ｃ・３ｄに作用する圧縮応力および引っ張り応力が上記屈曲部により集中して曲げ応力に変えられる。そのため、上記屈曲部の角度が変化し、支持ワイヤ３ａ・３ｂ・３ｃ・３ｄが該屈曲部以外の部分で不均一に撓むことを防止できる。その結果、レンズホルダ２に生じるタンジェンシャルチルトを防止することができる。
【０１２４】
本発明は上述した実施形態に限定されるものではなく、請求項に示した範囲で種々の変更が可能である。すなわち、請求項に示した範囲で適宜変更した技術的手段を組み合わせて得られる実施形態についても本発明の技術的範囲に含まれる。
【産業上の利用可能性】
【０１２５】
本発明は、光ディスクなどの光情報記録媒体に対して情報を記録または再生する光ピックアップ装置に搭載される対物レンズ駆動装置に好適に用いられる。
【図面の簡単な説明】
【０１２６】
【図１】本発明における対物レンズ駆動装置の実施の一形態を示す斜視図である。
【図２】上記対物レンズ駆動装置を示す側面図である。
【図３】上記対物レンズ駆動装置に作用する応力を示した側面図である。
【図４】本発明における対物レンズ駆動装置の実施の他の形態を示す側面図である。
【図５】（ａ）は、支持ワイヤと接続部との接続位置とレンズホルダの重心との関係を示す平面図であり、（ｂ）は、（ａ）のＡ−Ａ’断面を矢印の方向から見た断面図である。
【図６】（ａ）は、支持ワイヤと接続部との接続位置とレンズホルダの重心が適した位置関係にない場合を示す平面図であり、（ｂ）は、（ａ）のＡ−Ａ’断面を矢印の方向から見た断面図である。
【図７】（ａ）は、支持ワイヤと接続部との接続位置とレンズホルダのフォーカス方向磁気回路の駆動中心との関係を示す平面図であり、（ｂ）は、（ａ）のＡ−Ａ’断面を矢印の方向から見た断面図である。
【図８】（ａ）は、支持ワイヤと接続部との接続位置とレンズホルダのフォーカス方向磁気回路の駆動中心とが適した位置関係にない場合を示す平面図であり、（ｂ）は、（ａ）のＡ−Ａ’断面を矢印の方向から見た断面図である。
【図９】従来の対物レンズ駆動装置を示した斜視図である。
【図１０】従来の対物レンズ駆動装置に作用する応力を示した側面図である。
【符号の説明】
【０１２７】
１、２１    対物レンズ駆動装置
２    レンズホルダ
３ａ・３ｃ  支持ワイヤ（第１支持部材）
３ｂ・３ｄ  支持ワイヤ（第２支持部材）
４    基板
５    ワイヤ支持台（支持基板）
６    対物レンズ
１２  レンズホルダの重心
１３ａ・１３ｃ  接続点（第１接続点）
１３ｂ・１３ｄ  接続点（第２接続点）
１４  Ａ−Ａ’断面に投影されたレンズホルダの重心
１５  接続点１３ａと接続点１３ｃとの中点（第１接続点同士を結んだ線の中点）
１６  接続点１３ａと接続点１３ｂとの中点（第１接続点と第２接続点とを結ぶ線の中点）
１７  フォーカス方向磁気回路の駆動中心
１８  Ａ−Ａ’断面に投影されたフォーカス方向磁気回路の駆動中心
【図１】
2007200459.tif 000003
【図２】
2007200459.tif 000004
【図３】
2007200459.tif 000005
【図４】
2007200459.tif 000006
【図５】
2007200459.tif 000007
【図６】
2007200459.tif 000008
【図７】
2007200459.tif 000009
【図８】
2007200459.tif 000010
【図９】
2007200459.tif 000011
【図１０】
2007200459.tif 000012